(57)【特許請求の範囲】
【請求項１】
第１の端末装置と、第２の端末装置とを有する無線通信システムであって、
前記第１の端末装置は、
画像情報を生成するコンピュータと、
第２の通信チャンネルに基づいて定められた第１の通信チャンネルで第１の無線通信を実行することにより、前記画像情報を前記第２の端末装置の第３の無線通信部に送信する第１の無線通信部と、
無線通信基地局との無線通信における通信チャンネルである前記第２の通信チャンネルを指示する第２の通信チャンネル指示情報を前記無線通信基地局から受信する第２の無線通信部と、
を有し、
前記第２の端末装置は、
前記画像情報を受信する前記第３の無線通信部と、
前記画像情報を表示する表示部と、
を有する、
ことを特徴とする無線通信システム。
【請求項２】
第１の端末装置と、第２の端末装置とを有する無線通信システムの制御方法であって、
前記第１の端末装置が無線通信基地局との無線通信における通信チャンネルである第２の通信チャンネルを指示する第２の通信チャンネル指示情報を前記無線通信基地局から受信する無線通信ステップと、
前記第１の端末装置が画像情報を生成する画像情報生成ステップと、
前記第１の端末装置が第２の通信チャンネルに基づいて定められた第１の通信チャンネルで前記画像情報を前記第２の端末装置に無線で送信する無線通信ステップと、
前記第２の端末装置が前記画像情報を無線で受信する無線通信ステップと、
前記第２の端末装置が前記画像情報を表示する表示ステップと、
を有する、
ことを特徴とする無線通信システムの制御方法。
【発明の詳細な説明】
【０００１】
【発明の属する技術分野】
本発明は、無線通信システムに関する。
【０００２】
【従来の技術】
コンピュータの利用分野が広がる中で、コンピュータをコンピュータ本体装置(「第１の端末装置」と言う。)と表示装置(又は表示部とペン入力部)(「第２の端末装置」と言う。)との２つの筐体に切り離した装置が市場から要望されている。このような装置においては、第１の端末装置を例えば自動車に搭載する。利用者は第２の端末装置を操って自由に動き回りながらコンピュータを操作し、画面表示を見ることができる。第１の端末装置と第２の端末装置との間の通信を無線通信によって行うことにより、利用者は無線通信の到着距離内で自由に動き回ることができ、当該装置は高い利便性を有する。このような無線通信システムにおいては端末装置間の混信を防ぐため複数の通信チャンネルから任意のチャンネルを選択し、選択されたチャンネルで通信できる。
【０００３】
図１０を用いてコンピュータ本体を含む第１の端末装置と表示部を含む第２の端末装置とからなる装置について説明する。
図１０は、無線通信システムの概略的な構成図である。
図１０において、１００１はコンピュータ本体を含む第１の端末装置、１００２はドッキングステーション、１００３はキーボード、１００４はディスプレイ、１００５は表示部を含む第２の端末装置である。第１の端末装置１００１のコンピュータが作成した画像データを無線により第２の端末装置１００５に送信する。第２の端末装置１００５の表示部は受信したその画像データに基づいて画面を表示する。また、第２の端末装置１００５の表示部はタッチパネル又はペン入力などにより入力装置の役割を果たし、入力データを無線により第１の端末装置１００１に送信する。第１の端末装置１００１のコンピュータは受信したその入力データに基づいて処理を行う。第１の端末装置１００１はドッキングステーション１００２と接続することにより、キーボードなどの入力装置やディスプレイなどの出力装置と接続することができる。
【０００４】
しかし、コンピュータ(本体)と表示部を切り離して使用できる装置に割り当てることができる通信チャンネルの数は多くない。そのため、装置が複数台近くに存在する状態で使用した場合混信することがあった。例えば、ある現場に集まった複数の自動車がそれぞれコンピュータ(本体)(第１の端末装置)を有し、自動車の運転手が表示部(第２の端末装置)を持ってそれぞれの第１の端末装置と交信しながら作業を行う場合などである。装置に固定した通信チャンネルを割り当てた場合、その電波の届く範囲内のすべての装置の通信チャンネルが重複しないことは難しい。特に、装置が自動車に搭載されている等の理由により装置の位置が移動する場合は、混信を防ぐことは困難である。
【０００５】
また、端末同士で位置情報を交換し合い通信チャンネルを決める場合にも、電波の届く範囲内のすべての装置の位置情報と使用通信チャンネルを正確に把握しなければならず、通信チャンネルが重複しないことは難しい。
無線電話システムは混信しないように通信チャンネルを管理するシステムであるが、情報伝達レートが限られているため画像情報のような大量のデータを送信できない。
従来、上記の問題を解決する適切な無線通信システムがなかった。
【０００６】
【発明が解決しようとする課題】
本発明は上記問題点を解決することを目的としたものである。本発明はコンピュータ(本体)と表示部を切り離して使用できる装置が複数台近くに存在している場合でも、例えば管理センタがそれぞれの装置の位置情報をデータベース化して通信チャンネルを割り当てることにより、混信することなくコンピュータ(本体)とセットになっている表示部とが通信することができる無線通信システムを提供することを目的とする。
【０００７】
【課題を解決するための手段】
上記課題を解決するため、本発明は下記の構成を有する。
本発明は、第１の端末装置と、第２の端末装置とを有する無線通信システムであって、前記第１の端末装置は、前記第１の端末装置の位置情報を検出する位置検出部と、画像情報を生成するコンピュータと、前記位置情報に基づいて定められた第１の通信チャンネルで前記画像情報を前記第２の端末装置の第３の無線通信部に送信する第１の無線通信部と、を有し、前記第２の端末装置は、前記画像情報を受信する前記第３の無線通信部と、前記画像情報を表示する表示部と、を有する、ことを特徴とする無線通信システムである。
【０００８】
本発明は、第１の端末装置と、第２の端末装置と、管理センタとを有する無線通信システムであって、前記第１の端末装置は、前記第１の端末装置の位置情報を検出する位置検出部と、画像情報を生成するコンピュータと、第１の通信チャンネルで前記画像情報を前記第２の端末装置の第３の無線通信部に送信する第１の無線通信部と、前記位置情報を前記管理センタの通信部に送信し、前記第１の通信チャンネルを指示する第１の通信チャンネル指示情報を前記管理センタの前記通信部から受信し、前記第１の通信チャンネル指示情報を前記第１の無線通信部に伝送する第２の無線通信部と、を有し、前記第２の端末装置は、前記画像情報を受信する前記第３の無線通信部と、前記画像情報を表示する表示部と、を有し、前記管理センタは、前記位置情報を受信し、前記第１の通信チャンネル指示情報を送信する前記通信部と、前記位置情報に基づいて、前記第１の通信チャンネル指示情報を決定する第１の通信チャンネル決定部と、を有する、ことを特徴とする無線通信システムである。
【０００９】
本発明は、第１の端末装置と、第２の端末装置とを有する無線通信システムであって、前記第１の端末装置は、画像情報を生成するコンピュータと、第２の通信チャンネルに基づいて定められた第１の通信チャンネルで第１の無線通信を実行することにより、前記画像情報を前記第２の端末装置の第３の無線通信部に送信する第１の無線通信部と、無線通信基地局との無線通信における通信チャンネルである前記第２の通信チャンネルを指示する第２の通信チャンネル指示情報を前記無線通信基地局から受信する第２の無線通信部と、を有し、前記第２の端末装置は、前記画像情報を受信する前記第３の無線通信部と、前記画像情報を表示する表示部と、を有する、ことを特徴とする無線通信システムである。
【００１０】
本発明は、第１の端末装置と、第２の端末装置と、管理センタとを有する無線通信システムであって、前記第１の端末装置は、画像情報を生成するコンピュータと、第１の通信チャンネルで前記画像情報を前記第２の端末装置の第３の無線通信部に送信する第１の無線通信部と、無線通信基地局との間で無線通信をすることにより前記無線通信基地局から前記第１の端末装置の位置情報を受信し、前記管理センタの通信部に前記位置情報を送信し、且つ前記管理センタの前記通信部から前記第１の通信チャンネルを指示する第１の通信チャンネル指示情報を受信し、前記第１の通信チャンネル指示情報を前記第１の無線通信部に伝送する第２の無線通信部と、を有し、前記第２の端末装置は、前記画像情報を受信する前記第３の無線通信部と、前記画像情報を表示する表示部と、を有し、前記管理センタは、前記位置情報を受信し、前記第１の通信チャンネル指示情報を送信する前記通信部と、前記位置情報に基づいて、前記第１の通信チャンネル指示情報を決定する第１の通信チャンネル決定部と、を有する、ことを特徴とする無線通信システムである。
【００１１】
本発明は、前記第２の端末装置の前記第３の無線通信部は、前記第１の無線通信部から送信された前記第１の通信チャンネル指示情報に基づいて第１の通信チャンネルを決定し、又は、前記第３の無線通信部が、記憶している識別子と同一の識別子を含む情報を受信した通信チャンネルを前記第１の通信チャンネルに決定する、ことを特徴とする無線通信システムである。
【００１２】
本発明は、前記第２の端末装置は更に第４の無線通信部を有し、前記第４の無線通信部は、前記第１の通信チャンネル指示情報を前記管理センタの前記通信部又は前記第２の無線通信部から受信し、前記第１の通信チャンネル指示情報を前記第３の無線通信部に伝送する、ことを特徴とする無線通信システムである。
【００１３】
本発明は、第１の端末装置と、第２の端末装置とを有する無線通信システムの制御方法であって、前記第１の端末装置が前記第１の端末装置の位置情報を検出する位置検出ステップと、前記第１の端末装置が画像情報を生成する画像情報生成ステップと、前記位置情報に基づいて定められた第１の通信チャンネルで前記第１の端末装置から前記画像情報を前記第２の端末装置に送信する無線通信ステップと、前記第２の端末装置が前記画像情報を受信する無線通信ステップと、前記第２の端末装置が前記画像情報を表示する表示ステップと、を有する、ことを特徴とする無線通信システムの制御方法である。
【００１４】
本発明は、第１の端末装置と、第２の端末装置と、管理センタとを有する無線通信システムの制御方法であって、前記第１の端末装置が前記第１の端末装置の位置情報を検出する位置検出ステップと、前記第１の端末装置が前記位置情報を前記管理センタに無線で送信する送信ステップと、前記管理センタが前記位置情報を受信する受信ステップと、前記管理センタが前記位置情報に基づいて第１の通信チャンネルを指示する第１の通信チャンネル指示情報を決定する通信チャンネル決定ステップと、前記管理センタが前記第１の端末装置に前記第１の通信チャンネル指示情報を送信する通信ステップと、前記第１の端末装置が前記第１の通信チャンネル指示情報を受信する受信ステップと、前記第１の端末装置が画像情報を生成する画像情報生成ステップと、前記第１の端末装置が第１の通信チャンネルで前記画像情報を前記第２の端末装置に無線で送信する無線通信ステップと、前記第２の端末装置が前記画像情報を無線で受信する無線通信ステップと、前記第２の端末装置が前記画像情報を表示する表示ステップと、を有する、ことを特徴とする無線通信システムの制御方法である。
【００１５】
又、本発明は、第１の端末装置と、第２の端末装置とを有する無線通信システムの制御方法であって、前記第１の端末装置が無線通信基地局との無線通信における通信チャンネルである第２の通信チャンネルを指示する第２の通信チャンネル指示情報を前記無線通信基地局から受信する無線通信ステップと、前記第１の端末装置が画像情報を生成する画像情報生成ステップと、前記第１の端末装置が第２の通信チャンネルに基づいて定められた第１の通信チャンネルで前記画像情報を前記第２の端末装置に無線で送信する無線通信ステップと、前記第２の端末装置が前記画像情報を無線で受信する無線通信ステップと、前記第２の端末装置が前記画像情報を表示する表示ステップと、を有する、ことを特徴とする無線通信システムの制御方法である。
【００１６】
さらに、本発明は、第１の端末装置と、第２の端末装置と、管理センタとを有する無線通信システムの制御方法であって、前記第１の端末装置が無線通信基地局との間で無線通信をすることにより前記無線通信基地局から前記第１の端末装置の位置情報を受信する受信ステップと、前記第１の端末装置が前記管理センタに前記位置情報を無線で送信する送信ステップと、前記管理センタが前記位置情報を受信する受信ステップと、前記管理センタが前記位置情報に基づいて、第１の通信チャンネルを指示する第１の通信チャンネル指示情報を決定する通信チャンネル決定ステップと、前記管理センタが前記第１の端末装置に前記第１の通信チャンネル指示情報を送信する通信ステップと、前記第１の端末装置が前記第１の通信チャンネル指示情報を無線で受信する受信ステップと、前記第１の端末装置が画像情報を生成する画像情報生成ステップと、前記第１の端末装置が第１の通信チャンネルで前記画像情報を前記第２の端末装置に無線で送信する無線通信ステップと、前記第２の端末装置が前記画像情報を無線で受信する無線通信ステップと、前記第２の端末装置が前記画像情報を表示する表示ステップと、を有する、ことを特徴とする無線通信システムの制御方法である。
【００１７】
又、本発明は、前記第２の端末装置が、前記第１の端末装置から無線で送信された前記第１の通信チャンネル指示情報を受信し、前記第１の通信チャンネル指示情報に基づいて第１の通信チャンネルを決定し、又は、記憶している識別子と同一の識別子を含む情報を受信した通信チャンネルを前記第１の通信チャンネルに決定する通信チャンネル決定ステップと、を更に有する、ことを特徴とする無線通信システムの制御方法である。
【００１８】
又、本発明は、前記第２の端末装置が、前記第１の通信チャンネル指示情報を前記管理センタから無線で受信する受信ステップと、を更に有する、ことを特徴とする無線通信システムの制御方法である。
【００１９】
本発明により、それぞれの第１の端末装置と第２の端末装置とが他の端末と混信することなくデータ通信を行う無線通信システムを実現することができる。
【００２０】
【発明の実施の形態】
以下、本発明の実施をするための最良の形態を具体的に示した実施例について、図面とともに記載する。
【００２１】
《実施例１》
図１〜３を用いて、本発明の実施例１の無線通信システムを説明する。
図１は、本発明の実施例１の無線通信システムの構成図である。
図１において、１０１は第１の端末装置、１０６は第２の端末装置、１１０は管理センタ、１２０はＧＰＳ衛星、１２１は無線通信基地局、１２２は有線通信網である。第１の端末装置１０１は、第１の無線通信部１０２、コンピュータ(本体)１０３、第２の無線通信部１０４、ＧＰＳ位置検出部１０５を有する。第２の端末装置１０６は表示部１０７、第３の無線通信部１０８を有する。管理センタ１１０は、通信部１１１、位置情報記録部１１２、チャンネル決定部１１３を有する。
【００２２】
ＧＰＳ位置検出部１０５は、ＧＰＳ衛星１２０(ＧＰＳはGlobal Positioning Systemの略)(通常４個のＧＰＳ衛星を用いて位置を検出するが、図では１個のＧＰＳ衛星で代表する。)より自分自身(第１の端末装置１０１)の位置を検出する。ＧＰＳ位置検出部１０５は取得した位置情報を第２の無線通信部１０４に通知する。第２の無線通信部１０４は第１の端末装置１０１の位置情報を管理センタ１１０に送信する。第２の無線通信部１０４から出力された電波(位置情報)は無線通信基地局１２１により受信される。さらに有線通信網１２２を介して第１の端末装置１０１の位置情報は管理センタ１１０に通知される。
【００２３】
管理センタ１１０の通信部１１１は、通知された第１の端末装置１０１の位置情報を位置情報記録部１１２に通知する。位置情報記録部１１２では位置情報をデータベースに記録する。チャンネル決定部１１３では第１の端末装置１０１の通信チャンネルを決定する。管理センタ１１０は複数の第１の端末の位置情報を受信し、記録管理している。それぞれの端末装置が混信しないようにチャンネル決定部１１３はチャンネルを振り分ける。決定された第１の端末装置１０１の通信チャンネルを指示する情報(「通信チャンネル情報」と言う。)は管理センタ１１０の通信部１１１、有線通信網１２２、無線通信基地局１２１を経由して第１の端末装置１０１に送信される。
【００２４】
決定された通信チャンネル情報を受信した第１の端末装置１０１の第２の無線通信部１０４は、コンピュータ(本体)１０３に通信チャンネル情報を伝送する。コンピュータ(本体)１０３は第１の無線通信部１０２に通信チャンネル情報を伝送する。第１の無線通信部１０２は第２の端末装置１０６に通信チャンネル情報を送信し、第３の無線通信部１０８はその通信チャンネル情報を受信する。その後第１の無線通信部１０２と第２の端末装置１０６の第３の無線通信部１０８とは、当該通信チャンネルでデータ通信を行う。
【００２５】
コンピュータ(本体)１０３で生成した画像情報が第１の無線通信部１０２に伝送される。第１の無線通信部１０２は第３の無線通信部１０８に画像情報を送信する。第３の無線通信部１０８は表示部１０７に画像情報を伝送する。表示部１０７は画像情報に基づいて画面を表示する。表示部１０７はタッチパネルの機能などを有し、表示部１０７から第３の無線通信部１０８及び第１の無線通信部１０２を介してコンピュータ(本体)１０３へタッチパネル入力信号を送信する。
実施例の無線通信システムにおいて第２の端末装置１０６は常に第１の端末装置１０１のそばに位置するとする。この前提はほとんどの場合満たされる。又、画像情報等の大量データを無線で伝送するシステムにおいて無線の到達距離は短い。従ってこの前提に基づく本システムは事実上不都合を生じない。
【００２６】
図２は、本発明の実施例１の無線通信システムのフローチャートである。
図２において、まずはじめにステップ２０１で第１の端末装置１０１においてＧＰＳ位置検出部１０５が第１の端末装置１０１の位置を検出する。ステップ２０２で第２の無線通信部１０４は検出された位置情報を管理センタ１１０に送信する。
ステップ２０３で管理センタ１１０において通信部１１１が各第１の端末装置１０１の位置情報を受信する。ステップ２０４で位置情報記録部１１２が各第１の端末装置１０１の位置情報をデータベースに記録する。ステップ２０５でチャンネル決定部１１３が、混信しないようにそれぞれの第１の端末装置１０１と第２の端末装置１０６との通信チャンネルを決定する。ステップ２０６で通信部１１１は各第１の端末装置１０１の通信チャンネル情報を各第１の端末装置１０１に送信する。
【００２７】
ステップ２０７で第１の端末装置１０１において第２の無線通信部１０４がその第１の端末装置１０１の通信チャンネル情報を受信する。ステップ２０８で第２の無線通信部１０４はコンピュータ(本体)１０３に通信チャンネル情報を通知する。ステップ２０９でさらにコンピュータ(本体)１０３は第１の無線通信部１０２に通信チャンネル情報を通知する。ステップ２１０で第１の無線通信部１０２は通信チャンネル情報を第２の端末装置１０６に送信する。ステップ２１１でコンピュータ(本体)１０３は第１の無線通信部１０２、第３の無線通信部１０８を経由して表示部１０７と通信を行う。
【００２８】
ステップ２１２で第２の端末装置１０６において第３の無線通信部１０８が通信チャンネル情報を受信する。ステップ２１３で表示部１０７は第３の無線通信部１０８、第１の無線通信部１０２を経由してコンピュータ(本体)１０３と通信を行う。第１の無線通信部１０２と第３の無線通信部１０８とは当該通信チャンネルで無線通信する。
【００２９】
図３は、本発明の実施例１の無線通信システムのフローチャート(第１の端末装置と第２の端末装置間)である。
図３において、ステップ３０１で第１の端末装置１０１の第１の無線通信部１０２は特定の通信チャンネル(通常は通信チャンネル情報により指定された通信チャンネル)で通信を開始する。
ステップ３０２で第２の端末装置１０６の第３の無線通信部１０８は、第１の端末装置１０１と第２の端末装置１０６とが通信できるか否かを判断する。できる場合はステップ３０９に進む。できない場合は、ステップ３０３に進み第１の無線通信部１０２が送信している通信チャンネルを検索する。ステップ３０３はステップ３０４〜ステップ３０８を有する。
【００３０】
ステップ３０４で通信チャンネルに初期値(実施例ではＣＨ１)を設定する。ステップ３０５で電波強度が閾値以上であるか否かを判断する。閾値より小さい場合はステップ３０６に進み通信チャンネルをインクリメントしステップ３０５に戻る。閾値以上の場合はステップ３０７に進み受信情報が特定識別子を含むか否かを判断する。特定識別子は、第２の端末装置１０６がペアを組む相手の第１の端末装置を他の第１の端末装置から識別することができる情報である。例えば、当該第１の端末装置又は第２の端末装置の固有の識別子等である。第３の無線通信部１０８は特定識別子を記憶している。含まない場合はステップ３０８に進み通信チャンネルをインクリメントしステップ３０５に戻る。含む場合はステップ３０３を終了して、ステップ３０９に進む。
ステップ３０９で第２の端末装置１０６は通信チャンネルを固定して第１の端末装置１０１と通信を行う。
ステップ３１０で第１の端末装置１０１は、その通信チャンネルで第２の端末装置１０６と通信を行う
【００３１】
《実施例２》
図４、５を用いて、本発明の実施例２の無線通信システムを説明する。実施例１との違いは、第２の端末装置に第４の無線通信部を追加しており、第４の無線通信部が通信チャンネル情報を直接管理センタから受信する点である。
図４は、本発明の実施例２の無線通信システムの構成図である。図１との違いは、第４の無線通信部が追加されている点である。
図４において、１０１は第１の端末装置、１０６は第２の端末装置、１１０は管理センタ、１２０はＧＰＳ衛星、１２１は無線通信基地局、１２２は有線通信網である。第１の端末装置１０１は、第１の無線通信部１０２、コンピュータ(本体)１０３、第２の無線通信部１０４、ＧＰＳ位置検出部１０５を有する。第２の端末装置１０６は、表示部１０７、第３の無線通信部１０８、第４の無線通信部１０９を有する。管理センタ１１０は、通信部１１１、位置情報記録部１１２、チャンネル決定部１１３を有する。
【００３２】
ＧＰＳ位置検出部１０５は、ＧＰＳ衛星１２０より自分自身(第１の端末装置１０１)の位置を検出する。ＧＰＳ位置検出部１０５は取得した位置情報を第２の無線通信部１０４に通知する。第２の無線通信部１０４は第１の端末装置１０１の位置情報を管理センタ１１０に送信する。第２の無線通信部１０４から出力された電波(位置情報)は無線通信基地局１２１により受信される。さらに有線通信網１２２を介して第１の端末装置１０１の位置情報は管理センタ１１０に通知される。
【００３３】
管理センタ１１０の通信部１１１は、通知された第１の端末装置１０１の位置情報を位置情報記録部１１２に通知する。位置情報記録部１１２では位置情報をデータベースに記録する。チャンネル決定部１１３は第１の端末装置１０１及び第２の端末装置１０６の通信チャンネルを決定する。管理センタ１１０は複数の第１の端末装置の位置情報を受信し、記録管理している。それぞれの端末装置が混信しないようにチャンネル決定部１１３はチャンネルを振り分ける。決定された第１の端末装置１０１及び第２の端末装置１０６の通信チャンネルの情報(「通信チャンネル情報」と言う。)は管理センタ１１０の通信部１１１、有線通信網１２２、無線通信基地局１２１を経由して第１の端末装置１０１及び第２の端末装置１０６に送信される。
【００３４】
決定された第１の端末装置１０１及び第２の端末装置１０６の通信チャンネル情報を受信した第１の端末装置１０１の第２の無線通信部１０４は、コンピュータ(本体)１０３を介して第１の無線通信部１０２に通信チャンネル情報を伝送する。同様に決定された第１の端末装置１０１及び第２の端末装置１０６の通信チャンネル情報を受信した第２の端末装置１０６の第４の無線通信部１０９は、第３の無線通信部１０８に通信チャンネル情報を伝送する。その後第１の無線通信部１０２と第２の端末装置１０６の第３の無線通信部１０８とは、この通信チャンネルでデータ通信を行う。
【００３５】
コンピュータ(本体)１０３で生成した画像情報が第１の無線通信部１０２に伝送される。第１の無線通信部１０２は第３の無線通信部１０８に画像情報を送信する。第３の無線通信部１０８は表示部１０７に画像情報を伝送する。表示部１０７は画像情報に基づいて画面を表示する。表示部１０７はタッチパネルの機能などを有し、表示部１０７から第３の無線通信部１０８及び第１の無線通信部１０２を介してコンピュータ(本体)１０３へタッチパネル入力信号を送信する。第１の無線通信部１０２と第３の無線通信部１０８とは、通信チャンネル情報によって指定された通信チャンネルで通信する。
【００３６】
図５は、本発明の実施例２の無線通信システムのフローチャートである。図２との違いは、管理センタから直接第２の端末装置に通信チャンネルを通知する点である。
図５において、まずはじめにステップ５０１で第１の端末装置１０１においてＧＰＳ位置検出部１０５が第１の端末装置１０１の位置を検出する。ステップ５０２で第２の無線通信部１０４は検出された位置情報を管理センタ１１０に送信する。
【００３７】
ステップ５０３で管理センタ１１０において通信部１１１が各第１の端末装置１０１の位置情報を受信する。ステップ５０４で位置情報記録部１１２が各第１の端末装置１０１の位置情報のデータベースを記録する。ステップ５０５でチャンネル決定部１１３が、混信しないようにそれぞれの第１の端末装置１０１及び第２の端末装置１０６の通信チャンネルを決定する。第１の端末装置１０１から第２の端末装置１０６に情報を伝送する通信チャンネル(通信チャンネルＡ)と第２の端末装置１０６から第１の端末装置１０１に情報を伝送する通信チャンネル(通信チャンネルＢ)とが同一であっても良く、別々であっても良い。ステップ５０６で通信部１１１は各第１の端末装置１０１及び第２の端末装置１０６の通信チャンネル情報を各第１の端末装置１０１に送信する。
【００３８】
ステップ５０７で第１の端末装置１０１において第２の無線通信部１０４がその第１の端末装置１０１及び第２の端末装置１０６の通信チャンネル情報を受信する。ステップ５０８で第２の無線通信部１０４はコンピュータ(本体)１０３を介して第１の無線通信部１０２に通信チャンネル情報を通知する。ステップ５０９でコンピュータ(本体)１０３は第１の無線通信部１０２、第３の無線通信部１０８を経由して表示部１０７と通信を行う。第１の無線通信部１０２は、通信チャンネル情報に基づいて指定された通信チャンネルＡで第３の無線通信部１０８に情報を伝送する。
【００３９】
同様に、ステップ５１０で管理センタ１１０の通信部１１１は各第１の端末装置１０１及び第２の端末装置１０６の通信チャンネル情報を各第２の端末装置１０６に送信する。ステップ５１１で第２の端末装置１０６において第４の無線通信部１０９がその第１の端末装置及び第２の端末装置の通信チャンネル情報を受信する。ステップ５１２で第４の無線通信部１０９は第３の無線通信部１０８に通信チャンネル情報を通知する。ステップ５１３で表示部１０７は第３の無線通信部１０８、第１の無線通信部１０２を経由してコンピュータ(本体)１０３と通信を行う。第３の無線通信部１０８は、通信チャンネル情報に基づいて指定された通信チャンネルＢで第１の無線通信部１０２に情報を伝送する。
【００４０】
《実施例３》
図６、７を用いて、本発明の実施例３の無線通信システムを説明する。実施例１との違いは、無線電話の通信チャンネルに応じてコンピュータの通信チャンネルを決定する点である。
図６は、本発明の実施例３の無線通信システムの構成図である。図１との違いは、ＧＰＳ衛星、ＧＰＳ位置検出部、管理センタがなくなり代わりに電話局センタが追加されている点である。
図６において、１０１は第１の端末装置、１０６は第２の端末装置、１２１は無線通信基地局、１２２は有線通信網、１３０は電話局センタである。第１の端末装置１０１は、第１の無線通信部１０２、コンピュータ(本体)１０３、第２の無線通信部１０４を有する。第２の端末装置１０６は、表示部１０７、第３の無線通信部１０８を有する。電話局センタ１３０は、通信部１３１、位置情報生成部１３２、位置情報記録部１３３、チャンネル決定部１３４を有する。
【００４１】
第２の無線通信部１０４は、無線通信基地局１２１と交信する。
無線通信基地局１２１は、第１の端末装置１０１の第２の無線通信部１０４から出力された電波を受信し、受信した電波強度の情報を電話局センタ１３０に伝送する。電話局センタ１３０の通信部１３１は受信した電波強度の情報を位置情報生成部１３２に伝送する。位置情報生成部１３２は電波強度の情報に基づいて、各第１の端末装置１０１がどのゾーン(又はどのセル)にいるかという位置情報を生成する。一般には第１の端末装置１０１は最も強い電波を受信した無線通信基地局のゾーン(又はセル)に存在すると判断される。位置情報生成部１３２は、生成した第１の端末装置１０１の位置情報を位置情報記録部１３３に通知する。位置情報記録部１３３は位置情報をデータベースに記録する。
【００４２】
チャンネル決定部１３４はセル内の第１の端末装置１０１の通信チャンネル(第２の通信チャンネル)を決定する。電話局センタで決定される通信チャンネルは、携帯電話などで使用できる通話チャンネルである。従って通常の携帯電話の通信チャンネルも決定する。電話局センタ１３０は複数の第１の端末装置の位置情報を受信し、記録管理している。セル内のそれぞれの端末装置(及び携帯電話)が混信しないように、チャンネル決定部１３４は通信チャンネル(第２の通信チャンネル)を振り分ける。決定されたセル内の第１の端末装置１０１の通信チャンネル(第２の通信チャンネル)の情報(「第２の通信チャンネル情報」と言う。)は電話局センタ１３０の通信部１３１、有線通信網１２２、無線通信基地局１２１を経由して第１の端末１０１の第２の無線通信部１０４に送信される。
【００４３】
決定された第２の通信チャンネルを受信した第１の端末装置１０１の第２の無線通信部１０４は、第２の通信チャンネルで無線通信基地局１２１と交信する。更に第２の無線通信部１０４はコンピュータ(本体)１０３に第２の通信チャンネル情報を通知する。コンピュータ(本体)１０３はセル内の第１の端末装置１０１の通信チャンネル(第２の通信チャンネル)に応じて、第１の端末装置１０１と第２の端末装置１０６との通信チャンネルである第１の通信チャンネルを決定する。コンピュータ(本体)１０３は第１の無線通信部１０２に第１の通信チャンネル情報を通知する。第１の無線通信部１０２は第２の端末装置１０６の第３の無線通信部１０８に第１の通信チャンネル情報を送信する。第３の無線通信部１０８はその通信チャンネルを受信する。その後コンピュータ(本体)１０３と表示部１０７は第１の無線通信部１０２及び第３の無線通信部１０８を経由してデータ通信を行う。第１の無線通信部１０２及び第３の無線通信部１０８は第１の通信チャンネルで通信する。
【００４４】
コンピュータ(本体)１０３で生成した画像情報が第１の無線通信部１０２に伝送される。第１の無線通信部１０２は第３の無線通信部１０８に画像情報を送信する。第３の無線通信部１０８は表示部１０７に画像情報を伝送する。表示部１０７は画像情報に基づいて画面を表示する。表示部１０７はタッチパネルの機能などを有し、表示部１０７から第３の無線通信部１０８及び第１の無線通信部１０２を介してコンピュータ(本体)１０３へタッチパネル入力信号を送信する。
例えば、携帯電話の通信チャンネル(第２の通信チャンネル)がＣＨ１〜ＣＨ２０であり、第１の端末装置と第２の端末装置との間の通信チャンネル(第１の通信チャンネル)もＣＨ１〜ＣＨ２０であるとする。但し、第１の通信チャンネルと第２の通信チャンネルとはチャンネル番号が同じであっても、使用する周波数帯域は異なる。例えば、第２の通信チャンネルがＣＨ５であれば、第１の通信チャンネルをＣＨ５にする。例えば、第２の通信チャンネルがＣＨ８であれば、第１の通信チャンネルをＣＨ８にする。携帯電話の通信チャンネル(第２の通信チャンネル)は混信しないように選択される故に、第１の通信チャンネルも混信が生じない。
【００４５】
図７は、本発明の実施例３の無線通信システムのフローチャートである。
図７において、まずはじめにステップ７０１で第１の端末装置１０１において第２の無線通信部１０４は無線通信基地局１２１と交信する。無線通信基地局１２１は、第２の無線通信部１０４が送出した電波を受信し、その電波強度の情報を有線通信網１２２を経由して電話局センタ１３０に伝送する。
ステップ７０２で電話局センタ１３０の通信部１３１は、電波強度の情報を受信する。ステップ７０３で位置情報生成部１３２が各第１の端末装置１０１の電波強度に基づいて各第１の端末装置１０１(及び通常の携帯電話)の位置情報を生成する。一般的には、それぞれの第１の端末装置は最も強いその電波を受信した無線通信基地局のゾーン(又はセル)に存在すると判断される。ステップ７０４で位置情報記録部１３３が各第１の端末装置１０１の位置情報をデータベースに記録する。ステップ７０５でチャンネル決定部１３４が混信しないようにセル内の各第１の端末装置１０１(及び通常の携帯電話)の通信チャンネル(第２の通信チャンネル)を決定する。ステップ７０６で通信部１１１は各第１の端末装置１０１の第２の通信チャンネル情報を各第１の端末装置１０１(及び通常の携帯電話)に送信する。
【００４６】
ステップ７０７で第１の端末装置１０１において第２の無線通信部１０４がその第１の端末装置１０１の第２の通信チャンネル情報を受信する。第２の無線通信部１０４は、第２の通信チャンネルで無線通信基地局１２１と交信する。ステップ７０８で第２の無線通信部１０４はコンピュータ(本体)１０３に第２の通信チャンネル情報を通知する。ステップ７０９でコンピュータ(本体)１０３は、その第１の端末装置１０１の第２の通信チャンネルに応じて第２の端末装置１０６との通信チャンネル(第１の通信チャンネル)を決定する。ステップ７１０でコンピュータ(本体)１０３は第１の無線通信部１０２に第２の端末装置１０６との通信チャンネル(第１の通信チャンネル)の情報(「第１の通信チャンネル情報」と言う。)を通知する。ステップ７１１で第１の無線通信部１０２は第１の通信チャンネル情報を第２の端末装置１０６に送信する。ステップ７１２でコンピュータ(本体)１０３は第１の無線通信部１０２、第３の無線通信部１０８を経由して表示部１０７と通信を行う。第１の無線通信部１０２は第１の通信チャンネルで第３の無線通信部１０８と通信する。
【００４７】
ステップ７１３で第２の端末装置１０６の第３の無線通信部１０８が第１の通信チャンネル情報を受信する。ステップ７１４で表示部１０７は第３の無線通信部１０８、第１の無線通信部１０２を経由してコンピュータ(本体)１０３と通信を行う。第３の無線通信部１０８は第１の通信チャンネルで第１の無線通信部１０２と通信する。
第２の通信チャンネルは、第１の端末装置１０１と無線通信基地局１２１との通信チャンネルである。第１の通信チャンネルは、第１の端末装置１０１と第２の端末装置１０６との通信チャンネルである。
【００４８】
本実施例は、第１のチャンネルの数が第２の通信チャンネルの数と同じ又はそれより多いことが好ましい。第２の通信チャンネルに基づいて第１の通信チャンネルを決定しても混信が生じないためである。また、第１の端末装置と第２の端末装置の最大通信距離が携帯電話の最大通信距離と同じ又はそれより小さいことが好ましい。近くのゾーンにある第１の端末装置同士で混信しないためである。電話局センタ１３０は隣接ゾーン間では混信しないように第２の通信チャンネルを選んでいる。本発明は管理センタを設けることなく無線電話システムの混信防止システムを利用して混信の生じない安価な無線通信システムを実現できる。
【００４９】
《実施例４》
図８、９を用いて、本発明の実施例４の無線通信システムを説明する。実施例１との違いは、位置情報を電話局センタより取得する点である。
図８は、本発明の実施例４の無線通信システムの構成図である。図１との違いは、ＧＰＳ衛星、ＧＰＳ位置検出部がなくなり、代わりに電話局センタが追加されている点である。
図８において、１０１は第１の端末装置、１０６は第２の端末装置、１１０は管理センタ、１２１は無線通信基地局、１２２は有線通信網、１３０は電話局センタである。第１の端末装置１０１は、第１の無線通信部１０２、コンピュータ(本体)１０３、第２の無線通信部１０４を有する。第２の端末装置１０６は表示部１０７、第３の無線通信部１０８を有する。管理センタ１１０は、通信部１１１、位置情報記録部１１２、チャンネル決定部１１３を有する。電話局センタ１３０は、通信部１３１、位置情報生成部１３２、位置情報記録部１３３、チャンネル決定部１３４を有する。
【００５０】
第２の無線通信部１０４は、無線通信基地局１２１と交信する。
無線通信基地局１２１は、第１の端末装置１０１の第２の無線通信部１０４から出力された電波を受信し、受信した電波強度の情報を電話局センタ１３０に伝送する。電話局センタ１３０の通信部１３１は受信した電波強度の情報を位置情報生成部１３２に伝送する。位置情報生成部１３２は電波強度の情報に基づいて、各第１の端末装置１０１がどのゾーン(又はどのセル)にいるかという位置情報を生成する。一般には第１の端末装置１０１は最も強い電波を受信した無線通信基地局のゾーン(又はセル)に存在すると判断される。位置情報生成部１３２は、生成した第１の端末装置１０１の位置情報を位置情報記録部１３３に通知する。位置情報記録部１３３は位置情報をデータベースに記録する。
【００５１】
チャンネル決定部１３４はセル内の第１の端末装置１０１の通信チャンネル(第２の通信チャンネル)を決定する。電話局センタ１３０は複数の第１の端末装置の位置情報を受信し、記録管理している。セル内のそれぞれの端末装置が混信しないように、チャンネル決定部１３４は通信チャンネル(第２の通信チャンネル)を振り分ける。生成された各第１の端末装置１０１の位置情報及び第２の通信チャンネルの情報(「第２の通信チャンネル情報」と言う。)は電話局センタ１３０の通信部１３１、有線通信網１２２、無線通信基地局１２１を経由して第１の端末装置１０１に送信される。
【００５２】
生成された各第１の端末装置１０１の位置情報及び第２の通信チャンネル情報を受信した第１の端末装置１０１の第２の無線通信部１０４は、第２の通信チャンネルで無線通信基地局１２１と交信する。更に第２の無線通信部１０４は受信した位置情報を管理センタ１１０に送信する。
管理センタ１１０の通信部１１１は、受信した第１の端末装置１０１の位置情報を位置情報記録部１１２に通知する。位置情報記録部１１２は位置情報をデータベースに記録する。チャンネル決定部１１３は第１の端末装置１０１の通信チャンネル(第１の通信チャンネル)を決定する。管理センタ１１０は複数の第１の端末装置の位置情報を受信し、記録管理している。それぞれの第１の端末装置が混信しないようにチャンネル決定部１１３は第１の通信チャンネルを振り分ける。決定された第１の端末装置１０１の第１の通信チャンネルの情報(「第１の通信チャンネル情報」と言う。)は管理センタ１１０の通信部１１１、有線通信網１２２、無線通信基地局１２１を経由して第１の端末装置１０１の第２の無線通信部１０４に送信される。
【００５３】
決定された第１の通信チャンネル情報を受信した第１の端末装置１０１の第２の無線通信部１０４は、コンピュータ(本体)１０３に第１の通信チャンネル情報を通知する。コンピュータ(本体)１０３は第１の無線通信部１０２に第１の通信チャンネル情報を通知する。第１の無線通信部１０２は第２の端末装置１０６に第１の通信チャンネル情報を送信し、第３の無線通信部１０８は第１の通信チャンネル情報を受信する。その後コンピュータ(本体)１０３と表示部１０７は第１の無線通信部１０２及び第３の無線通信部１０８を経由してデータ通信を行う。第１の無線通信部１０２は第１の通信チャンネルで第３の無線通信部１０８と通信する。
【００５４】
コンピュータ(本体)１０３で生成した画像情報が第１の無線通信部１０２に伝送される。第１の無線通信部１０２は第３の無線通信部１０８に画像情報を送信する。第３の無線通信部１０８は表示部１０７に画像情報を伝送する。表示部１０７は画像情報に基づいて画面を表示する。表示部１０７はタッチパネルの機能などを有し、表示部１０７から第３の無線通信部１０８及び第１の無線通信部１０２を介してコンピュータ(本体)１０３へタッチパネル入力信号を送信する。
【００５５】
図９は、本発明の実施例４の無線通信システムのフローチャートである。
図９において、まずはじめにステップ９０１で第１の端末装置１０１において第２の無線通信部１０４は無線通信基地局１２１と交信する。無線通信基地局１２１は、第２の無線通信部１０４が送出した電波を受信し、その電波強度の情報を有線通信網１２２を経由して電話局センタ１３０に伝送する。
ステップ９０２で電話局センタ１３０の通信部１３１は、電波強度の情報を受信する。ステップ９０３で位置情報生成部１３２が各第１の端末装置１０１の電波強度に基づいて各第１の端末装置１０１の位置情報を生成する。一般的には、それぞれの第１の端末装置は最も強いその電波を受信した無線通信基地局のゾーン(又はセル)に存在すると判断される。ステップ９０４で位置情報記録部１３４が各第１の端末装置１０１の位置情報をデータベースに記録する。ステップ９０５でチャンネル決定部１３４が混信しないようにセル内の各第１の端末装置１０１の通信チャンネル(第２の通信チャンネル)を決定する。ステップ９０６で通信部１３１は各第１の端末装置１０１の位置情報及び第２の通信チャンネル情報を各第１の端末装置１０１に送信する。
【００５６】
ステップ９０７で第１の端末装置１０１において第２の無線通信部１０４がその第１の端末装置１０１の位置情報及び第２の通信チャンネル情報を受信する。第２の無線通信部１０４は、第２の通信チャンネルで無線通信基地局１２１と交信する。ステップ９０８で第２の無線通信部１０４は各第１の端末装置１０１の位置情報を管理センタ１１０に送信する。
ステップ９０９で管理センタ１１０において通信部１１１が各第１の端末装置１０１の位置情報を受信する。ステップ９１０で位置情報記録部１１２が各第１の端末装置１０１の位置情報をデータベースに記録する。ステップ９１１でチャンネル決定部１１３が混信しないように第１の通信チャンネルを決定する。ステップ９１２で通信部１１１は各第１の端末装置１０１の第１の通信チャンネル情報を各第１の端末装置１０１の第２の無線通信部１０４に送信する。
【００５７】
ステップ９１３で第１の端末装置１０１において第２の無線通信部１０４がその第１の端末装置１０１の第１の通信チャンネル情報を受信する。ステップ９１４で第２の無線通信部１０４はコンピュータ(本体)１０３に第１の通信チャンネル情報を通知する。ステップ９１５でさらにコンピュータ(本体)１０３は第１の無線通信部１０２に第１の通信チャンネル情報を通知する。ステップ９１６で第１の無線通信部１０２は第１の通信チャンネル情報を第２の端末装置１０６の第３の無線通信部１０８に送信する。ステップ９１７でコンピュータ(本体)１０３は第１の無線通信部１０２、第３の無線通信部１０８を経由して表示部１０７と通信を行う。第１の無線通信部１０２は第１の通信チャンネルで第３の無線通信部１０８と通信する。
ステップ９１８で第２の端末装置１０６において第３の無線通信部１０８が第１の通信チャンネル情報を受信する。ステップ９１９で表示部１０７は第３の無線通信部１０８、第１の無線通信部１０２を経由してコンピュータ(本体)１０３と通信を行う。第３の無線通信部１０８は、第１の通信チャンネルで第１の無線通信部１０２と通信する。
【００５８】
例えば、第２の端末装置１０６にＧＰＳ位置検出部又は無線通信基地局１２１と交信する第４の無線通信部を設ける。上記の実施例と同様の方法により第２の端末装置１０６の位置情報を取得し、第２の端末装置の位置情報も用いて第１の通信チャンネル(第１の無線通信部１０２と第３の無線通信部１０８との通信のチャンネル)を決定することもできる。
第２の端末装置１０６は第１の端末装置１０１からある範囲内で自由に移動できる。第１の端末装置１０１の位置情報と、第１の端末装置１０１と第２の端末装置１０６との相対位置情報から、第１の通信チャンネルを自動的に決定することもできる。これにより第２の端末装置１０６が同じチャンネルを使用する他の第１の端末装置に近づいた場合、第１の通信チャンネル(第１の無線通信部１０２と第３の無線通信部１０８との通信のチャンネル)を自動的に変更できる。
【００５９】
【発明の効果】
本発明の無線通信システムによれば、無線電話の通信チャンネルに応じて通信チャンネルを決定するようにしたことにより、コンピュータ(本体)と表示部を切り離して使用できる装置が複数台存在しても、混信することなく第１の端末装置(コンピュータ(本体)を含む。)はセットになっている第２の端末装置(表示部を含む。)とデータを交換することができる安価な無線通信システムを実現できる。
【図面の簡単な説明】
【図１】  本発明の実施例１の無線通信システムの構成図
【図２】  本発明の実施例１の無線通信システムのフローチャート
【図３】  本発明の実施例１の無線通信システムのフローチャート(第１の端末装置と第２の端末装置間)
【図４】  本発明の実施例２の無線通信システムの構成図
【図５】  本発明の実施例２の無線通信システムのフローチャート
【図６】  本発明の実施例３の無線通信システムの構成図
【図７】  本発明の実施例３の無線通信システムのフローチャート
【図８】  本発明の実施例４の無線通信システムの構成図
【図９】  本発明の実施例４の無線通信システムのフローチャート
【図１０】  本発明の無線通信システムの概略的な構成図
【符号の説明】
１０１  第１の端末装置
１０２  第１の無線通信部
１０３  コンピュータ(本体)
１０４  第２の無線通信部
１０５  ＧＰＳ位置検出部
１０６  第２の端末装置
１０７  表示部
１０８  第３の無線通信部
１１０  管理センタ
１１１  通信部
１１２  位置情報記録部
１１３  チャンネル決定部
１２０  ＧＰＳ衛星
１２１  無線通信基地局
１２２  有線通信網
１３０  電話局センタ
１３１  通信部
１３２  位置情報生成部
１３３  位置情報記録部
１３４  チャンネル決定部
１００１  第１の端末装置(コンピュータ本体を含む。)
１００２  ドッキングステーション
１００３  キーボード
１００４  ディスプレイ
１００５  第２の端末装置(表示部を含む。)
【図１】
0004566443.tif 000002
【図２】
0004566443.tif 000003
【図３】
0004566443.tif 000004
【図４】
0004566443.tif 000005
【図５】
0004566443.tif 000006
【図６】
0004566443.tif 000007
【図７】
0004566443.tif 000008
【図８】
0004566443.tif 000009
【図９】
0004566443.tif 000010
【図１０】
0004566443.tif 000011